(57)【特許請求の範囲】
【請求項１】
車両の前面衝突及び側面衝突の少なくとも一方の衝突が不可避であると判断された際又は車両の前面衝突及び側面衝突の少なくとも一方の衝突が検知された際に、乗員を拘束するウェビングを所定量巻き取るリトラクタを備えたシートベルト装置と、
車両用シートに着座した乗員の着座姿勢を検知する姿勢検知手段と、
ヘッドレストの少なくとも前部を車両前方へ移動可能に構成されたヘッドレスト移動機構と、
前記姿勢検知手段による乗員の着座姿勢が正規着座姿勢であると判断した場合には、前記リトラクタによる前記ウェビングの巻き取り時に前記ヘッドレストを移動させず、前記姿勢検知手段による乗員の着座姿勢が正規着座姿勢に対して車両前方へ移動した非正規着座姿勢であると判断した場合には、前記ウェビングの巻き取りに先行して前記ヘッドレストの少なくとも前部を車両前方へ移動させる制御部と、
を有する乗員拘束装置。
【請求項２】
車両の前面衝突及び側面衝突の少なくとも一方の衝突が不可避であると判断された際であって、乗員の着座姿勢が非正規着座姿勢であると判断された際に、前記リトラクタによって前記ウェビングを所定量巻き取り、かつ、前記ヘッドレスト移動機構によって前記ヘッドレストの少なくとも前部を車両前方へ移動させる請求項１に記載の乗員拘束装置。
【請求項３】
前記姿勢検知手段は、シートクッション内に設けられた体重センサと、前記リトラクタに設けられて前記ウェビングの引き出し量を検知するウェビング引出量検知センサとを含んで構成されており、
正規の状態で着座した乗員の体重を前記体重センサで検知し、前記ウェビング引出量検知センサによって検知された前記ウェビングの引き出し量が、体重に応じて予め設定された前記ウェビングの適正な引き出し量の上限よりも多い場合に、乗員の着座姿勢が非正規着座姿勢であると判断する請求項１又は２に記載の乗員拘束装置。
【発明の詳細な説明】
【技術分野】
【０００１】
本発明は、乗員拘束装置に関する。
【背景技術】
【０００２】
特許文献１には、車両の前面衝突が予知された段階で第１のプリテンショナ機構を作動させてシートベルト（ウェビング）を所定量巻き取り、車両の前面衝突が検知された段階で第２のプリテンショナ機構を作動させてシートベルトをさらに巻き取る構成が開示されている。一方、特許文献２〜６には、車両の後面衝突が予知された際に、ヘッドレストの少なくとも前部をシート前方へ移動させる技術が開示されている。
【先行技術文献】
【特許文献】
【０００３】
【特許文献１】特開平６−２８６５８１号公報
【特許文献２】特開２００６−２６４４３１号公報
【特許文献３】国際公開第２００５／０７３０１９号
【特許文献４】国際公開第２００８／１２９９３５号
【特許文献５】特開２０００−２３３７１３号公報
【特許文献６】特開２００６−２９０３４８号公報
【発明の概要】
【発明が解決しようとする課題】
【０００４】
しかしながら、上記特許文献１に記載の技術では、乗員の上体が前傾している場合など非正規着座姿勢で着座している状態でウェビングが巻き取られると、乗員の頭部が勢いよくヘッドレスト側へ振られる可能性がある。一方、上記特許文献２〜６には、車両の後面衝突が予測された時にヘッドレストで乗員の頭部を支持する構成のみが記載されており、車両の前面衝突時については考慮されていない。このため、車両の衝突が不可避であると判断された際や車両の衝突が検知された際にウェビングを所定量巻き取る構成において、ヘッドレストによる頭部の保護性能を向上させる観点から改善の余地がある。
【０００５】
本発明は上記事実を考慮し、車両の衝突が不可避であると判断された際や車両の衝突が検知された際にウェビングを所定量巻き取る構成において、頭部の保護性能を向上させることができる乗員拘束装置を得ることを目的とする。
【課題を解決するための手段】
【０００６】
請求項１に記載の本発明に係る乗員拘束装置は、車両の前面衝突及び側面衝突の少なくとも一方の衝突が不可避であると判断された際又は車両の前面衝突及び側面衝突の少なくとも一方の衝突が検知された際に、乗員を拘束するウェビングを所定量巻き取るリトラクタを備えたシートベルト装置と、車両用シートに着座した乗員の着座姿勢を検知する姿勢検知手段と、ヘッドレストの少なくとも前部を車両前方へ移動可能に構成されたヘッドレスト移動機構と、前記姿勢検知手段による乗員の着座姿勢が正規着座姿勢であると判断した場合には、前記リトラクタによる前記ウェビングの巻き取り時に前記ヘッドレストを移動させず、前記姿勢検知手段による乗員の着座姿勢が正規着座姿勢に対して車両前方へ移動した非正規着座姿勢であると判断した場合には、前記ウェビングの巻き取りに先行して前記ヘッドレストの少なくとも前部を車両前方へ移動させる制御部と、を有する。
【０００７】
請求項１に記載の本発明に係る乗員拘束装置では、リトラクタを備えたシートベルト装置が設けられている。ここで、リトラクタは、車両の前面衝突及び側面衝突の少なくとも一方の衝突が不可避であると判断された際又は車両の前面衝突及び側面衝突の少なくとも一方の衝突が検知された際に、乗員を拘束するウェビングを所定量巻き取る。これにより、乗員の拘束力を高められて乗員が車両前方又は車両幅方向に慣性移動するのを抑制することができる。
【０００８】
また、乗員拘束装置は、車両用シートに着座した乗員の着座姿勢を検知する姿勢検知手段、ヘッドレストの少なくとも前部を車両前方へ移動可能に構成されたヘッドレスト移動機構、及び制御部を備えている。ここで、制御部は、乗員の着座姿勢が正規着座姿勢に対して車両前方に移動した非正規着座姿勢であると判断した場合には、ウェビングの巻き取りに先行してヘッドレストの少なくとも前部を車両前方へ移動させる。これにより、ヘッドレストが乗員の頭部に近づくため、乗員が非正規着座姿勢で着座している場合であっても、乗員の頭部を早期に支持することができ、頭部が勢いよくヘッドレスト側へ振られるのを抑制することができる。なお、ここでいう「正規着座姿勢に対して車両前方に移動した非正規着座姿勢」とは、乗員の着座位置が正規の着座位置に対して車両前方に移動した状態の姿勢に限定されるものではない。例えば、乗員が正規の位置に着座している場合であっても、乗員の上体が大きく前傾している姿勢などは、正規着座姿勢に対して車両前方に移動した非正規着座姿勢に含まれる。
【０００９】
さらに、乗員の着座姿勢が正規着座姿勢であれば、ウェビングの巻き取りのみが行われてヘッドレスト移動機構が作動しない。これにより、乗員の頭部がヘッドレストに支持されている状態や、ヘッドレストの近傍に頭部が位置している状態でヘッドレスト移動機構が作動されるのを抑制することができる。また、ヘッドレスト移動機構の作動を必要最小限に止めることができる。
【００１０】
請求項２に記載の本発明に係る乗員拘束装置は、請求項１において、車両の前面衝突及び側面衝突の少なくとも一方の衝突が不可避であると判断された際であって、乗員の着座姿勢が非正規着座姿勢であると判断された際に、前記リトラクタによって前記ウェビングを所定量巻き取り、かつ、前記ヘッドレスト移動機構によって前記ヘッドレストの少なくとも前部を車両前方へ移動させる。
【００１１】
請求項２に記載の本発明に係る乗員拘束装置では、車両の衝突時にウェビングを巻き取る場合と比較して、早期に乗員を拘束することができる。また、車両の衝突時にウェビングを巻き取る場合よりもウェビングによる拘束力を低く設定することができるため、ウェビングの巻き取り時に乗員の頭部が車両後方へ振られにくい。
【００１２】
請求項３に記載の本発明に係る乗員拘束装置は、請求項１又は請求項２において、前記姿勢検知手段は、シートクッション内に設けられた体重センサと、前記リトラクタに設けられて前記ウェビングの引き出し量を検知するウェビング引出量検知センサとを含んで構成されており、正規の状態で着座した乗員の体重を前記体重センサで検知し、前記ウェビング引出量検知センサによって検知された前記ウェビングの引き出し量が、体重に応じて予め設定された前記ウェビングの適正な引き出し量の上限よりも多い場合に、乗員の着座姿勢が非正規着座姿勢であると判断する。
【００１３】
請求項３に記載の本発明に係る乗員拘束装置では、乗員が正規の状態で着座した際の体重を体重センサで検知する。そして、検知された体重に応じて予め設定されたウェビングの適正な引き出し量の上限を参照する。そして、乗員の上体が車両前方へ移動するなどして、ウェビングの引き出し量が多くなり、適正な引き出し量の上限よりもウェビングの引き出し量が多くなった場合に、非正規着座姿勢であると判断する。このように体重センサ及びウェビング引出量検知センサの両方を用いることで、体型（体重）の違いによるウェビングの引き出し量を考慮することができ、乗員の着座姿勢の検知精度を向上させることができる。
【発明の効果】
【００１４】
以上説明したように、請求項１に記載の乗員拘束装置よれば、車両の衝突が不可避であると判断された際や車両の衝突が検知された際にウェビングを所定量巻き取る構成において、頭部の保護性能を向上させることができるという優れた効果を有する。
【００１５】
請求項２に記載の乗員拘束装置よれば、車両の衝突時にヘッドレスト移動機構を作動させつつウェビングを巻き取る場合と比較して、乗員の頭部の保護性能を向上させることができるという優れた効果を有する。
【００１６】
請求項３に記載の乗員拘束装置よれば、ウェビング引出量検知センサからの信号のみに基づいて乗員の着座姿勢を検知する場合と比較して、着座姿勢の検知精度を向上させることができるという優れた効果を有する。
【図面の簡単な説明】
【００１７】
【図１】実施形態に係る乗員拘束装置が適用された車両用シートの正面図である。
【図２】実施形態に係る乗員拘束装置が適用された車両用シートの側面図であり、乗員が非正規着座姿勢で着座している状態を示す図である。
【図３】実施形態に係る乗員拘束装置が適用された車両用シートの側面図であり、プリクラッシュシートベルト及びヘッドレスト移動機構が作動された状態を示す図である。
【図４】実施形態に係る乗員拘束装置の動作フローを示すフローチャートである。
【発明を実施するための形態】
【００１８】
本発明の実施形態に係る乗員拘束装置１０について、図１〜図３に基づいて説明する。なお、各図において適宜示される矢印ＦＲは、車両前方側を示しており、矢印ＵＰは、車両上方側を示しており、矢印ＯＵＴは、車両幅方向の外側を示している。また、以下の説明で特記なく前後、上下、左右の方向を用いる場合は、車両前後方向の前後、車両上下方向の上下、進行方向を向いた場合の左右を示すものとする。
【００１９】
図１〜図３では、保護すべき乗員のモデルとして衝突試験用のダミー（人形）が車両用シート１２に着座した状態を図示している。ダミーは、例えばＷｏｒｌｄＳＩＤ（国際統一側面衝突ダミー：Ｗｏｒｌｄ  Ｓｉｄｅ  Ｉｍｐａｃｔ  Ｄｕｍｍｙ）のＡＭ５０（米国人成人男性の５０パーセンタイル）である。このダミーは、衝突試験法で定められた標準的な着座姿勢（正規の状態）で着座しており、車両用シート１２は、当該着座姿勢に対応した基準設定位置に位置している。以下、説明を分かり易くするために、ダミーを「乗員Ｄ」と称する。また、以下の説明において、乗員Ｄが正規の状態で着座した着座姿勢を「正規着座姿勢」とし、この正規着座姿勢から所定量よりも上車両前方へ移動した着座姿勢（図３の二点鎖線参照）を「非正規着座姿勢」とする。
【００２０】
図１及び図２に示されるように、本実施形態の乗員拘束装置１０は、車両用シート１２（以下、単に「シート１２」と称する。）に搭載されている。シート１２は、図示しない自動車の車体における車両幅方向中央に対し左右何れか（本実施形態では右側）にオフセットして配置されている。また、シート１２は、乗員Ｄが着座するシートクッション１４を備えており、このシートクッション１４の後端部には、乗員Ｄの背部Ｂを支持するシートバック１６が回動可能に連結されている。また、シートバック１６の上端部には、ヘッドレストステー２０を介して乗員Ｄの頭部Ｈを支持可能なヘッドレスト１８が連結されている。
【００２１】
乗員拘束装置１０は、シートベルト装置２１と、体重センサとしての座圧センサ３４と、ヘッドレスト１８を移動させるヘッドレスト移動機構２３とを含んで構成されている。
【００２２】
図１に示されるように、シートベルト装置２１は、３点式のシートベルト装置とされており、乗員Ｄを拘束するウェビング（ベルト）２２を備えている。ウェビング２２の一端は、シートバック１６内に設けられたリトラクタ２４に引き出し可能に巻き取られており、ウェビング２２の他端は、シート１２の下方に設けられたアンカ３２に固定されている。また、ウェビング２２は、リトラクタ２４から上方に延在されてシートバック１６の左側の上端部に設けられたベルト取出部（ベルトガイド）２６から引き出される構成とされている。
【００２３】
ウェビング２２にはタングプレート２８がスライド可能に設けられており、このタングプレート２８をバックル３０に係止させることで、ウェビング２２を乗員Ｄに装着させることができるようになっている。そして、装着状態におけるウェビング２２のうち、乗員Ｄの前方を右側の肩部Ｓからタングプレート２８まで斜めに延びて乗員Ｄの上体を拘束する部分がショルダベルト２２Ｓとされている。また、タングプレート２８から車両幅方向にアンカ３２まで延びて乗員Ｄの腰部Ｐを拘束する部分がラップベルト２２Ｌとされている。
【００２４】
ここで、本実施形態のシートベルト装置２１は、車両の衝突が予知された際（車両の衝突が不可避であると判断された際）に、図示しないモータによってウェビング２２を所定量巻き取って拘束力を高めるプリクラッシュシートベルトとされている。また、シートベルト装置２１を構成するリトラクタ２４は、作動されることで強制的にウェビング２２を巻き取るプリテンショナ機能を有している。なお、リトラクタ２４は、制御部であるＥＣＵ（Ｅｌｅｃｔｒｏｎｉｃ  Ｃｏｎｔｒｏｌ  Ｕｎｉｔ）３６と電気的に接続されており、このＥＣＵ３６からの信号に基づいて作動されるようになっている。ＥＣＵ３６の詳細については後述する。
【００２５】
図２に示されるように、リトラクタ２４には、ウェビング２２の引き出し量を検知するウェビング引出量検知センサ２４Ａ（以下、単に「引出量検知センサ２４Ａ」と称する。）が設けられている。そして、この引出量検知センサ２４Ａとシートクッション１４の内部に設けられた座圧センサ３４によって乗員Ｄの着座姿勢を検知する姿勢検知手段が構成されている。座圧センサ３４は、シートクッション１４の座圧を検知するセンサであり、一つ又は複数の感圧センサによって構成されている。なお、座圧センサ３４としては、シートクッション１４における特定の部位の座圧を検知するセンサの他に、シートクッション１４の所定の範囲の座圧分布を取得可能なセンサを用いてもよい。また、座圧センサ３４の他に、シートレールに歪ゲージを設けて体重を検知する体重センサを採用してもよい。引出量検知センサ２４Ａは、リトラクタ２４と共にＥＣＵ３６と電気的に接続されており、座圧センサ３４もＥＣＵ３６と電気的に接続されている。
【００２６】
ここで、ＥＣＵ３６は、引出量検知センサ２４Ａ及び座圧センサ３４からの信号に基づいて乗員Ｄの着座姿勢が正規着座姿勢であるか非正規着座姿勢であるかを判断する。本実施形態では一例として、次の手順で乗員Ｄの着座姿勢を検知する。初めに、乗員Ｄがシート１２に着座した段階で、座圧センサ３４によって座圧（体重）を検知する。このとき、乗員Ｄは正規の状態で着座しているものとする。
【００２７】
続いて、ＥＣＵ３６は、座圧センサ３４の出力値に応じて予め設定されたウェビング２２の適正な引き出し量の上限値を参照する。このとき、座圧センサ３４が検知した座圧（体重）が大きいほど、ウェビング２２の適正な引き出し量の上限値が大きい値に設定されている。そして、ＥＣＵ３６は、座圧センサ３４の出力値に応じた適正な引き出し量の上限値と、引出量検知センサ２４Ａによって検知された実際のウェビング２２の引き出し量とを比較する。このとき、実際のウェビング２２の引き出し量が適正な引き出し量の上限値よりも少ない場合、正規着座姿勢であると判断する。一方、乗員Ｄの上体が前傾している場合や、乗員Ｄがシートクッション１４の前端部に着座している場合には、ウェビング２２の引き出し量が多くなる。そして、引出量検知センサ２４Ａによって検知された実際のウェビング２２の引き出し量が、適正な引き出し量の上限値よりも多くなった場合に、非正規着座姿勢であると判断する。すなわち、ＥＣＵ３６は、乗員Ｄが正規着座姿勢の状態から所定量よりも車両前方に移動した着座姿勢であると判断する。
【００２８】
次に、ヘッドレスト１８は、ヘッドレスト移動機構２３によって移動可能とされたアクティブヘッドレストとされている。ヘッドレスト移動機構２３は、ヘッドレスト１８内に設けられており、ヘッドレストステー２０とヘッドレスト１８とを連結している。また、ヘッドレスト移動機構２３は、図示しないモータ及びギヤを含んで構成されており、モータを駆動させることによってヘッドレスト１８の上部が下部に対して前方へ傾倒されるように構成されている。ここで、図２に図示されたヘッドレスト１８は、車両の通常走行時に乗員Ｄの頭部Ｈを支持可能な通常位置に位置している。また、図３に実線で図示されたヘッドレスト１８は、ヘッドレスト移動機構２３が作動されてヘッドレスト１８が前方へ傾倒した傾倒位置に位置している。このように、ヘッドレスト１８を前方へ傾倒させることにより、ヘッドレスト１８の少なくとも前部が車両前方へ移動して乗員Ｄの頭部Ｈとヘッドレスト１８との間の距離が縮められる構成とされている。なお、ヘッドレスト移動機構２３は、ＥＣＵ３６と電気的に接続されており、ＥＣＵ３６からの信号に基づいて作動される。
【００２９】
以上のように、引出量検知センサ２４Ａを含むリトラクタ２４、座圧センサ３４、及びヘッドレスト移動機構２３は、ＥＣＵ３６と電気的に接続されている。また、ＥＣＵ３６には、プリクラッシュセンサなどの衝突予知センサ３８が電気的に接続されている。そして、ＥＣＵ３６は、この衝突予知センサ３８からの信号に基づいて、自動車に対する各種形態の衝突（の発生又は不可避であること）を予測可能とされている。また、衝突予知センサ３８からの信号に基づいて車両の前面衝突及び側面衝突の少なくとも一方の衝突が不可避であると判断された際には、シートベルト装置２１のリトラクタ２４によってウェビング２２が所定量巻き取られる。なお、ここでいう前面衝突としては、フルラップ前面衝突、オフセット前面衝突などがあり、オフセット前面衝突には、斜め衝突や微小ラップ衝突などが含まれる。
【００３０】
なお、衝突予知センサ３８は、例えばウインドシールドガラスの上部における車幅方向中央付近に設けられた図示しないステレオカメラを含んで構成される。そして、このステレオカメラによって車両の前方側を撮影し、車両への衝突体を検出するようになっている。また、ステレオカメラによって検出された衝突体までの距離や車両と衝突体との相対速度などを測定し、測定データをＥＣＵ３６へ出力するようになっている。そして、ＥＣＵ３６は、ステレオカメラからの測定データに基づいて車両の衝突が不可避であるかどうかについて判断する。なお、衝突予知センサ３８をミリ波レーダなどによって構成してもよい。
【００３１】
また、ＥＣＵ３６は、衝突センサ４０と電気的に接続されている。そして、ＥＣＵ３６は、衝突センサ４０からの信号に基づいて車両の衝突を検知すると、リトラクタ２４のプリテンショナ機構を作動させる。これにより、ウェビング２２が強制的に巻き取られて乗員Ｄの拘束力が高められる。また、衝突センサ４０からの信号に基づいてシート１２に収納された図示しないエアバッグなどの乗員保護装置が作動されて乗員を保護する。なお、衝突センサ４０は、一例として、フロントサイドメンバに配置された加速度センサから成るフロントサテライトセンサと、センタコンソール下方のフロアに配設された加速度センサから成るフロアセンサとを含んで構成されている。
【００３２】
次に、ヘッドレスト移動機構２３を作動させる手順について、図４のフローチャートを参照して説明する。初めに、ステップＳ１００では、衝突予知センサ３８からの信号に基づいて車両の衝突が不可避であるか否かを判定する。ここで、肯定判定（車両の衝突が不可避）であればステップＳ１０２に移行し、否定判定であれば繰り返し衝突予知センサ３８からの信号を取得する。
【００３３】
次に、ステップＳ１０２では、座圧センサ３４及び引出量検知センサ２４Ａからの信号に基づいて乗員Ｄの着座姿勢を検知する。そして、ステップＳ１０４では、検知された乗員Ｄの着座姿勢が非正規着座姿勢であるか否かを判定する。ここで、肯定判定（非正規着座姿勢）であればステップＳ１０６に移行し、否定判定（正規着座姿勢）であればステップＳ１０８に移行する。
【００３４】
ステップＳ１０６では、乗員Ｄの着座姿勢が非正規着座姿勢であると判定されたため、ヘッドレスト移動機構２３を作動させつつ、リトラクタ２４によってウェビング２２を所定量巻き取る。本実施形態では、ヘッドレスト移動機構２３のモータを駆動させてヘッドレスト１８の上部を下部に対して前方へ傾倒させる。これにより、ヘッドレスト１８は、図３の二点鎖線で示された通常位置から実線で示された傾倒位置へ傾倒される。
【００３５】
また、リトラクタ２４によってウェビング２２が巻き取られることにより、非正規着座姿勢（図３の二点鎖線参照）で着座していた乗員Ｄが後方側へ移動される。これにより、乗員Ｄの背部Ｂがシートバック１６に当接され、頭部Ｈがヘッドレスト１８へ向かって移動する。そして、頭部Ｈは、ヘッドレスト移動機構２３によって前方へ移動されたヘッドレスト１８によって後方から支持される。
【００３６】
一方、ステップＳ１０８では、乗員Ｄの着座姿勢が正規着座姿勢であると判定されたため、ヘッドレスト移動機構２３を作動させない。すなわち、ヘッドレスト移動機構２３は非作動状態を維持しており、ヘッドレスト１８を通常位置から移動させずにリトラクタ２４によってウェビング２２を所定量巻き取る。
【００３７】
（作用並びに効果）
次に、本実施形態に係る乗員拘束装置１０の作用並びに効果について説明する。
【００３８】
本実施形態の乗員拘束装置１０では、衝突予知センサ３８からの信号に基づいて車両の前面衝突及び側面衝突の少なくとも一方の衝突が不可避であると判断された際に、リトラクタ２４によってウェビング２２が所定量巻き取られる。これにより、乗員Ｄの拘束力を高められて、車両の衝突時に乗員Ｄが車両前方又は車両幅方向に慣性移動するのを抑制することができる。特に本実施形態では、衝突予知センサ３８からの信号に基づいてウェビング２２を所定量巻き取る構成であるため、車両の衝突が検知された際にウェビング２２を所定量巻き取る場合と比較して、早期に乗員Ｄを拘束することができる。
【００３９】
また、本実施形態では、座圧センサ３４と引出量検知センサ２４Ａとを含む姿勢検知手段が設けられており、この座圧センサ３４及び引出量検知センサ２４Ａによって乗員Ｄの着座姿勢が検知できるように構成されている。また、ヘッドレスト１８の少なくとも前部を前方へ移動させるヘッドレスト移動機構２３が設けられている。そして、リトラクタ２４によるウェビング２２の巻き取り時に、乗員Ｄの着座姿勢が非正規着座姿勢であると判断された場合に、ヘッドレスト移動機構２３が作動されてヘッドレスト１８の少なくとも前部が前方に移動される。これにより、ヘッドレスト１８が乗員Ｄの頭部Ｈに近づくため、ウェビング２２が所定量巻き取られた際に、ヘッドレスト１８によって早期に頭部Ｈを後方から支持することができ、頭部Ｈが後方へ勢いよく振られるのを抑制することができる。この結果、乗員Ｄが非正規着座姿勢で着座している場合であっても、ウェビング２２の巻き取り時にヘッドレスト１８による頭部Ｈの保護性能を向上させることができる。
【００４０】
さらに、本実施形態では、座圧センサ３４及び引出量検知センサ２４Ａによって検知された乗員Ｄの着座姿勢が正規着座姿勢であれば、ヘッドレスト移動機構２３を作動させない。すなわち、ヘッドレスト１８を前方へ移動させない。これにより、不用意にヘッドレスト１８を移動させて移動中のヘッドレスト１８が乗員Ｄの頭部に干渉するのを抑制することができる。例えば、頭部Ｈがヘッドレスト１８に支持されている状態や、ヘッドレスト１８の近傍に頭部Ｈが位置している状態でヘッドレスト１８が前方へ移動すれば、頭部Ｈがヘッドレスト１８によって前方へ押される可能性がある。これに対して、本実施形態では、乗員Ｄが正規着座姿勢よりも車両前方へ移動した非正規着座姿勢である場合にのみヘッドレスト移動機構２３を作動させるため、頭部Ｈがヘッドレスト１８によって前方へ押されるのを抑制することができる。また、ヘッドレスト移動機構２３の作動を必要最小限に止めることができる。
【００４１】
さらにまた、本実施形態では、衝突予知センサ３８によって車両の衝突が予知された際に、ヘッドレスト移動機構２３を作動させつつ、リトラクタ２４によってウェビング２２を所定量巻き取っている。これにより、車両の衝突時にウェビング２２を巻き取る場合よりもウェビング２２による拘束力を低く設定することができるため、乗員Ｄの頭部Ｈが後方へ振られにくく、ヘッドレスト１８によって良好に頭部Ｈを支持することができる。また、車両の衝突時にプリテンショナ機構が作動した場合であっても、予めウェビング２２が所定量巻き取られており、かつ、ヘッドレスト１８が前方に移動しているため、乗員Ｄの頭部Ｈが後方へ振られるのを抑制することができる。この結果、車両の衝突時にウェビング２２を巻き取りつつヘッドレスト移動機構２３を作動させる構成と比較して、乗員Ｄの頭部Ｈの保護性能を向上させることができる。
【００４２】
また、本実施形態では、座圧センサ３４及び引出量検知センサ２４Ａの両方のセンサからの信号に基づいて乗員Ｄの着座姿勢を検知している。これにより、引出量検知センサ２４Ａからの信号のみに基づいて乗員Ｄの着座姿勢を検知する場合と比較して、着座姿勢の検知精度を向上させることができる。
【００４３】
以上、本発明の実施形態について説明したが、本発明は、上記実施形態に限定されるものでなく、その主旨を逸脱しない範囲内において実施することが可能であることは勿論である。例えば、本実施形態では、車両の面前衝突及び側面衝突の少なくとも一方の衝突が不可避であると判断された際に、ウェビング２２を所定量巻き取るプリクラッシュシートベルトを備えた構成に本発明を適用したが、これに限定されない。プリクラッシュシートベルトを有していない構成に本発明を適用してもよい。この場合、衝突センサ４０からの信号に基づいて車両の前面衝突及び側面衝突の少なくとも一方の衝突が検知された際に、乗員Ｄの着座姿勢が非正規着座姿勢であれば、ウェビング２２を巻き取りつつ、ヘッドレスト移動機構２３を作動させる。これにより、ヘッドレスト１８の少なくとも前部が車両前方へ移動され、乗員Ｄの頭部Ｈを支持する。このようにして、プリクラッシュシートベルトを有していない構造であっても、ウェビング２２の巻き取り時に乗員Ｄの頭部Ｈを早期に支持することができ、頭部Ｈが勢いよくヘッドレスト１８側へ振られるのを抑制することができる。
【００４４】
また、本実施形態では、座圧センサ３４及び引出量検知センサ２４Ａによって乗員Ｄの着座姿勢を検知したが、これに限定されない。例えば、引出量検知センサ２４Ａのみによって乗員Ｄの着座姿勢を検知する構成としてもよい。この方法の一例として、乗員Ｄがシート１２に着座してウェビング２２を装着した段階で、ウェビング２２の引き出し量を記憶して初期値とする。そして、ウェビング２２の引き出し量が記憶した初期値に対して、所定量以上となった時点で、非正規着座姿勢であると判断する方法を採用してもよい。
【００４５】
さらに、シートバック１６内に静電容量センサを配置し、この静電容量センサを姿勢検知手段の一部として用いてもよい。静電容量センサでは、乗員Ｄの背部Ｂがシートバック１６に当接しているか否かを検知する。そして、乗員Ｄがシート１２に着座している状態で、背部Ｂがシートバック１６に当接していない場合（シートバック１６から離れている場合）に、非正規着座姿勢であると判断する方法を採用してもよい。また、車室天井に光学カメラを配置し、このカメラによって乗員Ｄの姿勢を検知させてもよく、これらのセンサ類を組み合わせて姿勢検知手段を構成してもよい。
【００４６】
さらにまた、本実施形態では、ヘッドレスト移動機構２３として、ヘッドレスト１８の上部を下部に対して前方へ傾倒させる機構としたが、これに限定されず、他の方法でヘッドレスト１８の少なくとも前部を車両前方へ移動させる構造としてもよい。例えば、特開２００６−２６４４３１号公報に開示された構造のように、平行リンク機構によって前後に分割されたヘッドレストの前部側を車両前方へ移動させる構成としてもよい。その他、ヘッドレストの少なくとも前部を車両前方へ移動させる周知の構造を採用し得る。
【００４７】
また、リトラクタ２４によってウェビング２２を巻き取るタイミングと、ヘッドレスト移動機構２３によってヘッドレスト１８を移動させるタイミングとが同時とされた構成に限定されない。例えば、ウェビング２２を巻き取る直前にヘッドレスト１８の移動を開始させてもよい。
【００４８】
さらに、本実施形態では、リトラクタ２４がシートバック１６内に設けられた構成としたが、これに限定されず、例えば、車体側にリトラクタ２４が設けられた構成としてもよい。この場合、ウェビング２２の一端が、センタピラーやアッパバックパネルに設けられたリトラクタに引き出し可能に巻き取られた構成としてもよい。
【００４９】
さらにまた、本実施形態では、前面衝突及び側面衝突の少なくとも一方の衝突が不可避であると判断された際又は前面衝突及び側面衝突の少なくとも一方の衝突が検知された際にヘッドレスト移動機構２３を作動させることについて説明したが、これに限定されない。例えば、周知の構造と同様に、後面衝突が不可避であると判断された際又は後面衝突が検知された際にヘッドレスト移動機構２３を作動させてもよい。
【符号の説明】
【００５０】
１０      乗員拘束装置
１２      車両用シート
１４      シートクッション
１８      ヘッドレスト
２１      シートベルト装置
２２      ウェビング
２３      ヘッドレスト移動機構
２４      リトラクタ
２４Ａ    ウェビング引出量検知センサ（姿勢検知手段）
３４      座圧センサ（姿勢検知手段、体重センサ）
Ｄ        乗員
【図１】
0006601191.tif 000002
【図２】
0006601191.tif 000003
【図３】
0006601191.tif 000004
【図４】
0006601191.tif 000005